(57)【特許請求の範囲】
【請求項１】
ガスが封入された密封容器を具備し、この密封容器は、放電を発生させる陰極部と陽極部とを収容する側管部と、前記側管部に連通し放電による光の出射方向に突出する筒状の突出部とを有し、この突出部に設けられた光出射窓から外部に出射光を出射する重水素ランプにおいて、
前記突出部に外挿された管状部材を備え、
前記突出部は前記側管部の軸線方向に直交する方向に突出し、
前記突出部の前端に前記光出射窓が設けられ、
この光出射窓より前方に前記管状部材の前端が位置し、
前記管状部材の内面と前記突出部の外面との間には、接着剤により構成された充填封止層が形成され、
前記充填封止層によって、出射光の光軸と前記管状部材の管軸とが一致するように、当該管状部材が前記突出部に固定されていることを特徴とする重水素ランプ。
【請求項２】
前記充填封止層は、前後方向に２層以上形成され、前記管状部材を固定する固定層と、
この固定層より前方に配置された封止層とを有することを特徴とする請求項１記載の重水素ランプ。
【請求項３】
ガスが封入された密封容器を具備し、この密封容器は、放電を発生させる陰極部と陽極部とを収容する側管部と、前記側管部に連通し放電による光の出射方向に突出する筒状の突出部とを有し、この突出部に設けられた光出射窓から外部に出射光を出射する重水素ランプにおいて、
前記突出部に外挿された管状部材を備え、
この管状部材の内面と前記突出部の外面との間には、接着剤により構成された充填封止層が形成され、
前記充填封止層は、前後方向に２層以上形成され、前記管状部材を固定する固定層と、
この固定層より前方に配置された封止層とを有し、
前記充填封止層によって、出射光の光軸と前記管状部材の管軸とが一致するように、当該管状部材が前記突出部に固定されていることを特徴とする重水素ランプ。
【請求項４】
前記光出射窓は、前記充填封止層より前方に位置することを特徴とする請求項１〜３の何れか一項に記載の重水素ランプ。
【請求項５】
前記管状部材の前端には、フランジ部が設けられていることを特徴とする請求項１〜４の何れか一項に記載の重水素ランプ。
【発明の詳細な説明】
【技術分野】
【０００１】
本発明は、所定波長の光を出射する重水素ランプに関し、特に、分析装置の分光器等の光源として使用される重水素ランプに関する。
【背景技術】
【０００２】
従来、このような分野の技術として、下記の特許文献１及び特許文献２に示すようなものがある。これらの特許文献に記載の重水素ランプは、その光出射窓が分光器等の真空室内に光を出射可能に配置され、真空室内の真空状態を維持するようにして、真空室外壁等に設けられた固定部に固定されている。例えば、特許文献１に記載の重水素ランプでは、放電を発生させる陽極部及び陰極部を収容する側管部と、この側管部の軸線方向に直交する方向に連通され放電による光の光軸方向に延在する筒状の突出部とを有する密封容器を備え、この突出部の前端に光出射窓が設けられている。この突出部は、その外表面にＯリングが装着される環状の凹溝を有し、筒状の固定部（開口部）に嵌合されて、真空室内はＯリングによって気密封止されている。また、特許文献２に記載の重水素ランプでは、陽極部及び陰極部を収容する筒状の密封容器（側管部）を備え、この密封容器の一端側に光出射窓が形成されている。そして、重水素ランプは、一端側に口金を有し、この口金によって固定部に固定されている。
【特許文献１】実開昭５４−１５６９７６号公報
【特許文献２】特開平６−２１５７３４号公報
【発明の開示】
【発明が解決しようとする課題】
【０００３】
しかしながら、上記特許文献１に記載の従来技術では、製作誤差により突出部の管軸と出射光の光軸とが一致せずにズレを生じる場合が有り、分析装置等に装着する際に、突出部を精度良く装置に固定しても光軸が装置に対してズレてしまい、位置精度の向上が求められていた。また、重水素ランプの突出部を筒状の固定部に嵌合して固定するため、突出部に係る応力によって、ガラス製の密封容器が破損する虞があった。
【０００４】
また、上記特許文献２に記載の重水素ランプにあっても、分析装置等に装着する際に、出射光の光軸を位置合わせして固定することが難しく、位置精度の向上が求められていた。また、陽極部及び陰極部を収容する側管部の外面が口金に覆われているため、放熱が悪く、出射光が不安定になる虞があった。
【０００５】
本発明は、このような課題を解決するために成されたものであり、分析装置等の取付側に対して出射光を高精度に位置決めすることができると共に、放熱が向上されて出射光を安定して出射することが可能であり、密封容器の破損の虞が低減された重水素ランプを提供することを目的とする。
【課題を解決するための手段】
【０００６】
本発明による重水素ランプは、ガスが封入された密封容器を具備し、この密封容器は、放電を発生させる陰極部と陽極部とを収容する側管部と、側管部に連通し放電による光の出射方向に突出する筒状の突出部とを有し、この突出部に設けられた光出射窓から外部に出射光を出射する重水素ランプにおいて、突出部に外挿された管状部材を備え、この管状部材の内面と突出部の外面との間には、接着剤により構成された充填封止層が形成され、この充填封止層によって、出射光の光軸と管状部材の管軸とが一致するように、当該管状部材が突出部に固定されていることを特徴としている。
【０００７】
このような重水素ランプによれば、突出部の外面と管状部材の内面との間に充填封止層が形成されているため、この充填封止層の厚さを変えることで、突出部と光軸とのズレを吸収し光軸と管状部材の管軸とを一致させて管状部材を突出部に固定することができ、この管軸と光軸とが一致した管状部材を分析装置等の取付側に装着することが可能となる。このため、分析装置等の取付側に対して重水素ランプの出射光を高精度に位置決めすることができる。また、密封容器は、陰極部及び陽極部を収容する側管部と、この側管部に連通し光の出射方向に突出する突出部とを有し、この突出部に管状部材を外挿するため、管状部材が放熱の妨げとなることなく側管部の放熱が向上され、出射光を安定して出射することができる。また、管状部材は、充填封止層を介して突出部に固定されているため、管状部材に作用する応力が充填封止層によって緩和されて、突出部に伝達される応力が減少し、密封容器の破損の虞が低減される。なお、「管状部材」の縦断面形状は、円形、矩形、その他の多角形等であっても良い。また、ここでいう「管軸」とは、管状部材の軸心を通り、管状部材の長手方向に延在する軸線である。
【０００８】
ここで、突出部は側管部の軸線方向に直交する方向に突出し、突出部の前端に光出射窓が設けられ、この光出射窓より前方に管状部材の前端が位置する構成であると、光出射窓が管状部材により保護される。なお、「側管部の軸線方向」とは、側管部の軸心を通り、側管部の長手方向に延在する軸線である。
【０００９】
また、充填封止層は、前後方向に２層以上形成され、管状部材を固定する固定層と、この固定層より前方に配置された封止層とを有する構成であると、固定層によって管状部材を仮止し、その後に、封止層を形成することで、真空室等の気密封止を確実に行うことができると共に、管状部材の管軸を光軸に対して一致させ易くなり、位置精度を一層向上させることが可能となる。
【００１０】
また、光出射窓は、充填封止層より前方に位置する構成であるのが好ましく、これにより充填封止層を形成する際に接着剤が光出射窓に付着することがなく、充填封止層の形成が容易とされる。
【００１１】
また、管状部材の前端には、フランジ部が設けられていると、重水素ランプを確実且つ容易に分析装置等の取付側に固定することができる。
【発明の効果】
【００１２】
本発明の重水素ランプによれば、分析装置等の取付側に装着する際に、出射光の光軸を高精度に取付側に位置決めすることができると共に、放熱が向上されて出射光を安定して出射することが可能であり、密封容器の破損の虞を低減することができる。
【発明を実施するための最良の形態】
【００１３】
以下、本発明による重水素ランプの好適な実施形態について図面を参照しながら説明する。なお、図面の説明において、同一または相当要素には同一の符号を付し、重複する説明は省略する。図１は、本発明の第１実施形態に係る重水素ランプを備えた分析装置の概略断面図、図２は、図１中の重水素ランプの斜視図、図３は、図１中の重水素ランプの断面図、図４は、図１中の重水素ランプ及びこの重水素ランプを保持するランプホルダを示す断面図である。なお、以下の説明において、出射光の進行方向を「前方」と定め、「前」、「後」、「正面」、「背面」等の方向を表す語を用いることとし、「上」、「下」等の方向を示す語については各図の状態において言うものとする。
【００１４】
図１に示すように、分析装置１は、所定波長の紫外光を出射する重水素ランプ１０と、重水素ランプ１０からの出射光を分光する分光器２と、この分光器２で分光された光を検出する光検出器３と、を備えている。
【００１５】
分光器２は、内部を真空環境（低圧状態）に維持可能な筐体４を具備し、この筐体４内に、レンズ５ａ，５ｂ、スリット６ａ，６ｂ、グレーティング７を収容している。筐体４は、連絡管８を介して真空ポンプ（不図示）に接続され、内部の真空状態が保たれている。そして、重水素ランプ１０の出射光は、レンズ５ａ、スリット６ａ、グレーティング７、スリット６ｂ、レンズ５ｂを順次経由して、所定に分光され光検出器３によって検出される。なお、筐体４内に希ガスを充填するようにしても良い。
【００１６】
筐体４のレンズ５ａに対向する外壁には、重水素ランプ１０の出射光を入射する光入射口４ａが開口され、この入射口４ａを囲繞する外壁には、重水素ランプ１０を保持するためのランプホルダ９が固定されている。なお、ランプホルダ９の詳細については後述する。
【００１７】
次に、重水素ランプ１０について詳説する。図２（なお、図２においては、後述する固定用金具２０及び充填封止層２１の図示を省略している。）及び図３に示すように、重水素ランプ１０は、サイドから紫外光を出射する所謂サイドオン型の重水素ランプである。この重水素ランプ１０は、重水素ガスが数百Ｐａ程度封入されたガラス製の密封容器１１を具備し、この密封容器１１は、紫外光を発光させる発光部組立体１４を収容する側管部１５と、この側管部１５に連通し前方（光軸Ｘ方向；側管部１５の軸線方向Ｙに直交する方向）に突出する円筒状の突出部１９とを備えている。そして、この突出部１９の正面側は、紫外光を出射する光出射窓１７によって封止されている。
【００１８】
側管部１５は、図２に示すように、一端（図示上端）側が封止された円筒状を成し、その他端側はステム部１６によって封止されている。側管部１５の正面には、突出部１９が連通する開口部１５ａ（図３参照）が形成され、この開口部１５ａを囲むように突出部１９の後端側が気密に連結されている。ステム部１６には、複数（本実施形態では７本）の導電性のステムピン１８ａ〜１８ｇが各々挿通されて密封固定されている。そして、このステムピン１８ａ〜１８ｇは、側管部１５における軸線方向Ｙ（図示上下方向）に沿って延在している。
【００１９】
側管部１５内に収容される発光部組立体１４は、アーク放電を発生させて紫外光を発生させるためのもので、図３に示すように、放電に寄与する熱電子を発生させる陰極部１３、この陰極部１３からの熱電子を受容する陽極部１２、陰極部１３と陽極部１２との間の放電路を制限する放電路制限部２６、この放電路制限部２６を支持する放電路制限部支持部材２３、この放電路制限部支持部材２３の正面側を覆うと共に紫外光が通過する光通過口２４ａが形成されたフロントカバー２４を備えている。
【００２０】
放電路制限部支持部材２３は、電気絶縁性を有するセラミックス等から形成され、ステムピン１８ｂ，１８ｃにより支持され、中央の開口部内に放電路制限部２６を支持している。放電路制限部２６は、例えば、モリブデン、タングステン、あるいはこれらからなる合金等の高融点金属から形成されて導電性を有し、ステムピン１８ｅ，１８ｆに電気的に接続されている。放電路制限部２６の背面側には陽極部１２が配置され、この陽極部１２は、ステムピン１８ｄによって支持されると共に電気的に接続されている。
【００２１】
陰極部１３はタングステン製のコイルから成り、その表面には熱電子を発生させるべく電子放出物質が塗布されている。この陰極部１３は、放電路制限部支持部材２３より正面側（図示下側）で光軸Ｘから外れた位置に配置され、ステムピン１８ａ，１８ｃ（図２参照）に電気的に接続されている。また、陰極部１３はその正面側がフロントカバー２４によって覆われ、陰極部１３から生じるスパッタ物、蒸発物が光出射窓１７に付着することを防止している。
【００２２】
ここで、重水素ランプ１０はステンレス製チューブからなる固定用金具（管状部材）２０を備え、この固定用金具２０は突出部１９に外挿され、固定用金具２０の内面と突出部１９の外面との間には、接着剤により構成された充填封止層２１が形成されて、この充填封止層２１により、出射光の光軸Ｘと固定用金具２０の管軸Ｌとが一致するように、固定用金具２０が突出部１９の外面に固定されている。
【００２３】
固定用金具２０の前端面２０ａは、平坦面を成して光出射窓１７より前方に位置し、この前端面２０ａと発光部組立体１４の放電路制限部２６における発光点Ｐとの距離Ｄは、所望の長さとされている。固定用金具２０の前端面２０ａは光出射窓１７より前方に位置しているため、光出射窓１７は固定用金具２０によって保護されている。
【００２４】
充填封止層２１は、光軸Ｘ方向において、固定用金具２０の後端から突出部１９の前端近傍まで形成されると共に、周方向おいて、全周にわたり形成され、固定用金具２０内を気密封止可能とする。すなわち、固定用金具２０内は、充填封止層２１によって、分光器２内の真空状態を維持すべく気密封止されている。充填封止層２１が突出部１９の前端近傍まで形成され、光出射窓１７は充填封止層２１より前方に位置しているため、充填封止層２１を形成する際に接着剤が光出射窓１７に付着することなく、充填封止層２１の形成が容易とされている。
【００２５】
次に、固定用金具２０を突出部１９に固定する方法について説明する。まず、正面視において、カメラ等を用い放電路制限部２６の放電路狭窄用小孔の位置を確認し、固定用金具２０の管軸Ｌと光軸Ｘとが同軸となるように位置合わせを行うと共に、光軸Ｘ方向において、固定用金具２０の前端面２０ａと発光部組立体１４の発光点Ｐとの距離Ｄが所定の長さとなるように、固定用金具２０と突出部１９との位置決めを行う。そして、固定用金具２０の内面と突出部１９の外面との隙間に、充填封止層２１を構成する接着剤を充填し、加熱することで硬化させて、固定用金具２０を突出部１９に接着固定する。このようにして、光軸Ｘと突出部１９の管軸Ｌとが一致した重水素ランプ１０を得ることができる。
【００２６】
次に、このように構成された重水素ランプ１０を分光器２（図１参照）に固定するためのランプホルダ９について説明する。このランプホルダ９は、図４に示すように、分光器２の筐体４の外壁に固定され重水素ランプ１０の固定用金具２０を保持するランプホルダ本体２７と、ランプホルダ本体２７と固定用金具２０との間に配置されるＯリング２８と、円環状を成しＯリング２８の後方に配置されるスペーサー２９と、このスペーサー２９を後方から押圧することでＯリング２８を締め付ける締付部材３０とを備えている。
【００２７】
ランプホルダ本体２７は、固定用金具２０が挿入される筒体２７ａを具備し、この筒体２７ａの前端には、ランプホルダ本体２７を分光器２に固定するためのフランジ２７ｂが設けられている。また、筒体２７ａの前端には、内方（軸心側）に円環状に突出する鍔部２７ｃが形成され、この鍔部２７ｃの後面２７ｄは、固定用金具２０の前端２０ａが押し当てられる平坦面を構成している。筒体２７ａの内径は、固定用金具２０の外径と略同じとされ、軸線方向中程に設けられる傾斜面２７ｅを介して、後端側は大径とされスペーサー２９を内挿可能な大きさとされている。また、筒体２７ａの外周面２７ｆには、締付部材３０を螺合させるためのネジ部が形成されている。
【００２８】
スペーサー２９の縦断面形状は台形とされ、内周前端より外周前端が前側に伸びる傾斜面２９ａを有する構成とされている。そして、Ｏリング２８は、ランプホルダ本体２７の傾斜面２７ｅとスペーサー２９の傾斜面２９ａとの間に挟まれて配置されている。
【００２９】
締付部材３０は円筒体を成し、その後端には内方（軸心側）に突出しスペーサー２９を後方から押圧するための円環状の鍔部３０ａが形成されている。そして、重水素ランプ１０は、その固定用金具２０がランプホルダ本体２７の筒体２７ａ内に挿入され、固定用金具２０の前端面２０ａがランプホルダ本体２７の鍔部２７ｃの後面２７ｄに突き当てられた状態で締付部材３０がランプホルダ本体２７に螺合することで、スペーサー２９が押圧されＯリング２８が締め付けられて、重水素ランプ１０の固定用金具２０が確実に気密に固定され、重水素ランプ１０の光軸Ｘは分光器２内のレンズ５ａに対し高精度に位置決めされている。
【００３０】
このような重水素ランプ１０を備えた分析装置１では、重水素ランプ１０に電力が供給され、陽極部１２と陰極部１３との間で放電が発生し、放電路制限部２６によって放電が収束し、光出射窓１７から紫外光が出射される。光出射窓１７から出射された出射光は、固定用金具２０内、光入射口４ａを通過して、分光器２内のレンズ５ａ（図１参照）に軸ズレ無く正確に入射される。
【００３１】
このように本実施形態によれば、例えば製作誤差等により突出部１９の管軸Ｌと出射光の光軸Ｘとが一致していない場合であっても、突出部１９の外面と固定用金具２０の内面との間に充填封止層２１が形成されているため、この充填封止層２１の周方向における厚さを変えることで、突出部１９と光軸Ｘとのズレを吸収し光軸Ｘと固定用金具２０の管軸Ｌとを一致させて固定用金具２０を突出部１９に固定することが可能となり、この管軸Ｌと光軸Ｘとが一致した固定用金具２０を分光器２のランプホルダ９に装着することができる。このため、分光器２内のレンズ５ａ等に対して重水素ランプ１０の出射光を高精度に位置決めすることができる。また、密封容器１１は、陰極部１３及び陽極部１２を収容する側管部１５と、この側管部１５に連通し光軸Ｘ方向に突出する突出部１９とを有し、この突出部１９に固定用金具２０を外挿しているため、固定用金具２０が放熱の妨げとなることなく側管部１５内の発光部組立体１４の放熱が向上され、出射光を安定して出射することが可能とされている。また、固定用金具２０は、充填封止層２１を介して突出部１９に固定されているため、固定用金具２０に作用する応力が充填封止層２１によって緩和されて、突出部１９に伝達される応力が減少し、密封容器１１の破損の虞が低減されている。具体的には、重水素ランプ１０を分光器２に対して着脱する際に、密封容器１１に作用する応力が低減されるため、密封容器１１の破損が防止され、重水素ランプ１０の長寿命化を図ることができる。
【００３２】
次に、本発明の第２実施形態に係る重水素ランプについて、図５を参照しながら説明する。この第２実施形態の重水素ランプ４０が第１実施形態の重水素ランプ１０と違う点は、同一の材質からなる突出部１９に代えて、異なる材質からなり、異なる材質を連結する段シール部４９ａを有する突出部４９を用いた点と、１層からなる充填封止層２１に代えて、２層からなる充填封止層５１を用いた点である。
【００３３】
突出部４９の前端側は、紫外光を出射する光出射窓４７によって封止され、この光出射窓４７は、例えば、フッ化マグネシウム（ＭｇＦ２）から構成されている。また、突出部４９は、光出射窓４７が設けられた前半部４９ｂがフッ化マグネシウムから成り、側管部１５に連結された後半部４９ｃが例えば硼珪酸ガラスによって構成されている。これらのフッ化マグネシウムと硼珪酸ガラスとは互いの熱膨張率が大きく異なり、フッ化マグネシウムと硼珪酸ガラスとを直接融着させると、この融着部に割れやクラックが生じる虞があるため、前半部４９ｂと後半部４９ｃとの間の中間部に、段シール部４９ａが設けられている。この段シール部４９ａは、複数種類の中間ガラスを用いて、熱膨張率が徐々に変化するようにシールする構成とされている。
【００３４】
充填封止層５１は、前後方向に隣接された２層構造を成し、後側に形成され固定用金具２０を仮止めする仮止層（固定層）５１ａと、これより前側に形成され固定用金具２０内を封止する封止層５１ｂとを有している。仮止層５１ａは、仮止め用接着剤として、硬化時間が短く、硬化後の硬度が大きいものが好ましく、例えば、シリカ−アルミナ系の無機接着剤が挙げられる。
【００３５】
封止層５１ｂは、封止用接着剤（シール剤）として、気密性が高く、それ自体にガス放出が無く、吸湿性が無いものが好ましく、例えば、エポキシ系の接着剤が挙げられる。なお、封止層５１ｂの前端は、段シール部４９ａより後方に位置し、段シール部４９ａは、充填封止層５１に覆われていない状態となっている。
【００３６】
次に、固定用金具２０を突出部４９に固定する方法について説明する。まず、正面視において、カメラ等を用い放電路制限部２６の放電路狭窄用小孔の位置を確認し、固定用金具２０の管軸Ｌと光軸Ｘとが同軸となるように位置合わせを行うと共に、光軸Ｘ方向において、固定用金具２０の前端面２０ａと発光部組立体１４の発光点Ｐとの距離Ｄが所定の長さとなるように、固定用金具２０と突出部４９との位置決めを行う。そして、固定用金具２０の内面と突出部４９の外面との隙間に、仮止め用接着剤を充填し、加熱することで硬化させて、固定用金具２０を突出部４９に接着固定する。仮止め用接着剤として、シリカ−アルミナ系の無機接着剤を使用した場合には、加熱温度を約１００℃、加熱時間を約１分として、硬化させる。
【００３７】
次に、前方から、固定用金具２０の内面と突出部４９の外面との隙間に、封止用接着剤を充填し、硬化させる。封止用接着剤として、エポキシ系接着剤を使用した場合には、室温にて約２時間で硬化させることができる。このようにして、光軸Ｘと突出部４９の管軸Ｌとが一致した重水素ランプ４０を得ることができる。
【００３８】
このように構成しても第１実施形態の重水素ランプ１０と同様の効果を得ることができ、加えて、充填封止層５１は、前後方向に２層形成され、固定用金具２０を固定する固定層５１ａと、この固定層５１ａより前側に配置された封止層５１ｂとを有する構成であるため、固定層５１ａにより固定用金具２０を仮止し、その後に、封止層５１ｂを形成することで、分光器内の気密封止を確実に行うことができると共に、固定用金具２０の管軸Ｌを光軸Ｘに対して一致させ易くなり、重水素ランプ４０が装着される分光器等に対する位置精度を一層向上させることができる。
【００３９】
また、仮止層５１ａは仮止め用接着剤によって構成されているため、短時間（数分程度）で硬化させることでき、重水素ランプ４０の製作時の作業性を向上させることが可能となる。また、仮止め用接着剤の硬化後の硬度が大きいため、重水素ランプ４０の位置ズレを防止することができる。
【００４０】
また、封止層５１ｂは封止用接着剤によって構成されているため、気密性が有り、重水素ランプ４０が装着される分光器内の高真空環境に対応可能とされている。また、封止用接着剤は、この接着剤からのガスの放出が無いため、接着剤中の成分の溶出が無く、真空環境を汚染することが防止されている。また、封止用接着剤は、吸湿性が無いため、高真空環境に対応可能とされている。
【００４１】
次に、本発明の第３実施形態に係る重水素ランプについて、図６を参照しながら説明する。この第３実施形態の重水素ランプ６０が第１実施形態の重水素ランプ１０と違う点は、円筒体の固定用金具２０に代えて、円筒体７０ａの前端にフランジ部７０ｂを有する固定用金具７０を用いた点である。そして、重水素ランプ６０は、そのフランジ部７０ｂが、分光器２における筐体４の外壁に位置決め固定されている。また、筐体４の外面とフランジ部７０ｂの設置面との間は、Ｏリング７１によって封止されている。
【００４２】
このように構成しても第１実施形態の重水素ランプ１０と同様の効果を得ることができ、加えて固定用金具７０の前端に、フランジ部７０ｂが設けられているため、重水素ランプ７０を確実且つ容易に分光器２等の取付側に固定することができる。
【００４３】
以上、本発明をその実施形態に基づき具体的に説明したが、本発明は、上記実施形態に限定されるものではない。上記実施形態において、重水素ランプを、サイドオン型の重水素ランプとしているが、ヘッドオン型の重水素ランプであってもよい。
【００４４】
また、上記実施形態において、重水素ランプ１０，４０，６０は、光出射窓１７，４７が保護されるとして、管状部材（固定用金具）２０，７０が、光出射窓１７，４７より前方に突出する構成としているが、光出射窓が管状部材より前方に突出する構成としても良い。
【００４５】
また、上記実施形態において、管状部材をステンレスチューブ等の金属製としているが、管状部材の材質は、その他の材料を用いて構成しても良い。また、管状部材の断面形状は、矩形等のその他の形状であっても良い。
【図面の簡単な説明】
【００４６】
【図１】本発明の第１実施形態に係る重水素ランプを備えた分析装置の概略断面図である。
【図２】図１中の重水素ランプの斜視図である。
【図３】図１中の重水素ランプの断面図である。
【図４】図１中の重水素ランプ及びこの重水素ランプを保持するランプホルダを示す断面図である。
【図５】本発明の第２実施形態に係る重水素ランプの断面図である。
【図６】本発明の第３実施形態に係る重水素ランプの断面図である。
【符号の説明】
【００４７】
１…分析装置、１０，４０，６０…重水素ランプ、１１…密封容器、１２…陽極部、１３…陰極部、１７，４７…光出射窓、１９，４９…突出部、２０，７０…固定用金具（管状部材）、２１，５１…充填封止層、５１ａ…仮止層（固定層）、５１ｂ…封止層、７０ｂ…フランジ部、Ｘ…光軸、Ｌ…管軸。
【図１】
0004813122.tif 000002
【図２】
0004813122.tif 000003
【図３】
0004813122.tif 000004
【図４】
0004813122.tif 000005
【図５】
0004813122.tif 000006
【図６】
0004813122.tif 000007